(57)【要約】【解決手段】上刃体の先端部４で、刃体本体の終端部１１ａと刃付部１２との間には終端部１１ａから屈曲された連結部１３を設けている。連結部１３の平坦外面が終端部１１ａの平坦外面に対しなす屈曲角度Ａを１０度以上５０度以下の鋭角に、刃付部１２の平坦外面が連結部１３の平坦外面に対しなす屈曲角度Ｂを２０度以上８０度以下の鋭角に、刃付部１２の平坦外面が終端部１１ａの平坦外面に対しなす屈曲角度Ｃを４０度以上９０度未満の鋭角にそれぞれ設定している。その場合、Ａ≦Ｂ＜Ｃの関係が成り立つ。【効果】上刃体において終端部１１ａの平坦外面を含む面と連結部１３の平坦外面及び刃付部１２の平坦外面との間には刃付部１２に対する視認空間Ｓを設けることができる。その視認空間Ｓにより、使用時に上下両刃体の先端部４，７の刃付部１２，１６間で切断される爪の先端部を押圧操作てこの上方や上刃体の基端部側上方から見易い。【選択図】図３
2018099185.tif 000002
【特許請求の範囲】
【請求項１】
先端部に刃付部を有する第一刃体と先端部に刃付部を有する第二刃体とを備え、操作部材により第一刃体の先端部の刃付部と第二刃体の先端部の刃付部とを互いに接近及び離間させることができる爪切りにおいて、第一刃体の先端部には、第一刃体の刃体本体の終端部から第二刃体の先端部の刃付部側へ屈曲された連結部と、この連結部から第二刃体の先端部の刃付部側へ屈曲された刃付部とを設け、この刃体本体の終端部の外面を含む面とこの連結部の外面及び刃付部の外面との間には刃付部に対する視認空間を設けたことを特徴とする爪切り。
【請求項２】
先端部に刃付部を有する第一刃体と先端部に刃付部を有する第二刃体とを備え、操作部材により第一刃体の先端部の刃付部と第二刃体の先端部の刃付部とを互いに接近及び離間させることができる爪切りにおいて、第一刃体の先端部には第一刃体の刃体本体の終端部と第一刃体の先端部の刃付部とを互いに繋ぐ連結部を設け、この第一刃体の先端部において、刃体本体の終端部から第二刃体の先端部の刃付部側へ屈曲された連結部でその外面が刃体本体の終端部の外面に対しなす屈曲角度をＡ、この連結部から第二刃体の先端部の刃付部側へ屈曲された刃付部でその外面がこの連結部の外面に対しなす屈曲角度をＢ、この刃付部の外面が刃体本体の終端部の外面に対しなす屈曲角度をＣとした場合、Ａ≦Ｂ＜Ｃに設定したことを特徴とする爪切り。
【請求項３】
前記第一刃体の先端部において、屈曲角度Ａは１０度以上５０度以下の鋭角に設けられ、屈曲角度Ｂは２０度以上８０度以下の鋭角に設けられ、屈曲角度Ｃは４０度以上９０度未満の鋭角に設けられていることを特徴とする請求項２に記載の爪切り。
【請求項４】
前記第一刃体の先端部において、連結部の外面と刃体本体の終端部の外面と刃付部の外面とはそれぞれ互いに連続する平坦面になっていることを特徴とする請求項１〜３のうちいずれか一つの請求項に記載の爪切り。
【請求項５】
前記操作部材は第一刃体に対し回動可能に支持した押圧操作てこを備え、この第一刃体の刃体本体にはその押圧操作てこにより第二刃体側へ押圧される押圧部を設け、前記刃体本体の終端部はこの押圧部の終端部であることを特徴とする請求項１〜４のうちいずれか一つの請求項に記載の爪切り。
【請求項６】
前記第二刃体の先端部にも第二刃体の刃体本体の終端部と第二刃体の先端部の刃付部とを互いに繋ぐ連結部を設け、この第二刃体の先端部において、この連結部の外面が刃体本体の終端部の外面に対しなす屈曲角度をＤ、この刃付部の外面がこの連結部の外面に対しなす屈曲角度をＥ、この刃付部の外面が刃体本体の終端部の外面に対しなす屈曲角度をＦとした場合、Ｄ≦Ｅ＜Ｆに設定したことを特徴とする請求項１に記載の爪切り。
【請求項７】
前記第二刃体の先端部において、第一刃体の先端部の屈曲角度Ａ，Ｂ，Ｃと同一の屈曲角度Ｄ，Ｅ，Ｆに設定されていることを特徴とする請求項６に記載の爪切り。
【発明の詳細な説明】
【技術分野】
【０００１】
本発明は、先端部に刃付部を有する上下両刃体を操作部材により互いに接近及び離間させることができる爪切りに関するものである。
【背景技術】
【０００２】
下記の特許文献１等で開示された従来の爪切りにおいては、図４に示すように、上下両刃体２，５の先端部４，７に刃付部１２，１６が折曲形成されて相対向し、上刃体２に回動可能に支持された押圧操作てこ１０により、上刃体２が下刃体５側へ押圧されて、上下両刃体２，５の先端部４，７の刃付部１２，１６が互いに接近及び離間する。上下両刃体２，５の先端部４，７には刃付部１２，１６に連続する終端部１１ａ，１５ａが形成され、刃付部１２，１６の外面が終端部１１ａ，１５ａの外面に対しなす折曲角度が鋭角に設けられている。
【先行技術文献】
【特許文献】
【０００３】
【特許文献１】実開平４−１１６９０４号公報
【発明の概要】
【発明が解決しようとする課題】
【０００４】
図４に示す従来の爪切りにおいては、使用時に上刃体２の先端部４の刃付部１２を操作部材８の押圧操作てこ１０側から見た場合、上刃体２の先端部４の終端部１１ａに邪魔されて上下両刃体２，５の先端部４，７の刃付部１２，１６間で切断される爪が見にくいことがある。
【０００５】
この発明は、爪切りにおいて刃体の先端部の形態を改良することにより、使用時に両刃付部間で切断される爪の先端部を操作部材側から見易くすることを目的としている。
【課題を解決するための手段】
【０００６】
後記実施形態の図面（図１〜３）の符号を援用して本発明を説明する。
請求項１の発明にかかる爪切り（１）においては、先端部（４）に刃付部（１２）を有する第一刃体（２）と先端部（７）に刃付部（１６）を有する第二刃体（５）とを備え、操作部材（８）により第一刃体（２）の先端部（４）の刃付部（１２）と第二刃体（５）の先端部（７）の刃付部（１６）とを互いに接近及び離間させることができる。第一刃体（２）の先端部（４）には、第一刃体（２）の刃体本体（３）の終端部（１１ａ）から第二刃体（５）の先端部（７）の刃付部（１６）側へ屈曲された連結部（１３）と、この連結部（１３）から第二刃体（５）の先端部（７）の刃付部（１６）側へ屈曲された刃付部（１２）とを設け、この刃体本体（３）の終端部（１１ａ）の外面を含む面とこの連結部（１３）の外面及び刃付部（１２）の外面との間には刃付部（１２）に対する視認空間（Ｓ）を設けた。
【０００７】
請求項１の発明では、視認空間（Ｓ）により、使用時に両刃体（２，５）の先端部（４，７）の刃付部（１２，１６）間で切断される爪の先端部を操作部材（８）側から見易くすることができる。
【０００８】
請求項２の発明にかかる爪切り（１）においては、先端部（４）に刃付部（１２）を有する第一刃体（２）と先端部（７）に刃付部（１６）を有する第二刃体（５）とを備え、操作部材（８）により第一刃体（２）の先端部（４）の刃付部（１２）と第二刃体（５）の先端部（７）の刃付部（１６）とを互いに接近及び離間させることができる。第一刃体（２）の先端部（４）には第一刃体（２）の刃体本体（３）の終端部（１１ａ）と第一刃体（２）の先端部（４）の刃付部（１２）とを互いに繋ぐ連結部（１３）を設けている。この第一刃体（２）の先端部（４）において、刃体本体（３）の終端部（１１ａ）から第二刃体（５）の先端部（７）の刃付部（１６）側へ屈曲された連結部（１３）でその外面が刃体本体（３）の終端部（１１ａ）の外面に対しなす屈曲角度をＡ、この連結部（１３）から第二刃体（５）の先端部（７）の刃付部（１６）側へ屈曲された刃付部（１２）でその外面がこの連結部（１３）の外面に対しなす屈曲角度をＢ、この刃付部（１２）の外面が刃体本体（３）の終端部（１１ａ）の外面に対しなす屈曲角度をＣとした場合、Ａ≦Ｂ＜Ｃに設定した。
【０００９】
請求項２の発明では、第一刃体（２）において刃体本体（３）の終端部（１１ａ）の外面を含む面と連結部（１３）の外面及び刃付部（１２）の外面との間に刃付部（１２）に対する視認空間（Ｓ）を設けることができるので、使用時に両刃体（２，５）の先端部（４，７）の刃付部（１２，１６）間で切断される爪の先端部を操作部材（８）側から見易くすることができる。
【００１０】
請求項２の発明を前提とする請求項３の発明にかかる第一刃体（２）の先端部（４）において、屈曲角度Ａは１０度以上５０度以下の鋭角に設けられ、屈曲角度Ｂは２０度以上８０度以下の鋭角に設けられ、屈曲角度Ｃは４０度以上９０度未満の鋭角に設けられている。請求項３の発明では、第一刃体（２）の先端部（４）の刃付部（１２）に対する視認空間（Ｓ）を設けることができる。
【００１１】
請求項１〜３のうちいずれか一つの請求項の発明を前提とする請求項４の発明にかかる第一刃体（２）の先端部（４）において、連結部（１３）の外面と刃体本体（３）の終端部（１１ａ）の外面と刃付部（１２）の外面とはそれぞれ互いに連続する平坦面になっている。請求項４の発明では、第一刃体（２）の先端部（４）の刃付部（１２）に対する視認空間（Ｓ）を広くすることができる。
【００１２】
請求項１〜４のうちいずれか一つの請求項の発明を前提とする請求項５の発明において、操作部材（８）は第一刃体（２）に対し回動可能に支持した押圧操作てこ（１０）を備え、この第一刃体（２）の刃体本体（３）にはその押圧操作てこ（１０）により第二刃体（５）側へ押圧される押圧部（１１）を設け、前記刃体本体（３）の終端部はこの押圧部（１１）の終端部（１１ａ）である。請求項５の発明では、押圧操作てこ（１０）により、第一刃体（２）の先端部（４）の刃付部（１２）と第二刃体（５）の先端部（７）の刃付部（１６）とを容易に接近及び離間させることができる。
【００１３】
請求項１の発明を前提とする請求項６の発明にかかる第二刃体（５）の先端部（７）にも第二刃体（５）の刃体本体（６）の終端部（１５ａ）と第二刃体（５）の先端部（７）の刃付部（１６）とを互いに繋ぐ連結部（１７）を設け、この第二刃体（５）の先端部（７）において、この連結部（１７）の外面が刃体本体（６）の終端部（１５ａ）の外面に対しなす屈曲角度をＤ、この刃付部（１６）の外面がこの連結部（１７）の外面に対しなす屈曲角度をＥ、この刃付部（１６）の外面が刃体本体（６）の終端部（１５ａ）の外面に対しなす屈曲角度をＦとした場合、Ｄ≦Ｅ＜Ｆに設定した。請求項６の発明では、第二刃体（５）において刃体本体（６）の終端部（１５ａ）の外面を含む面と連結部（１７）の外面及び刃付部（１６）の外面との間には刃付部（１６）に対する視認空間（Ｓ）を設けることができるので、使用時に両刃体（２，５）の先端部（４，７）の刃付部（１２，１６）間で切断される爪の先端部を第二刃体（５）の下方側から見易くすることができる。
【００１４】
請求項６の発明を前提とする請求項７の発明にかかる第二刃体（５）の先端部（７）において、第一刃体（２）の先端部（４）の屈曲角度Ａ，Ｂ，Ｃと同一の屈曲角度Ｄ，Ｅ，Ｆに設定されている。請求項７の発明では、第一刃体（２）と第二刃体（５）とを同じ形態にして部品を共通化することができる。
【発明の効果】
【００１５】
本発明は、爪切り（１）において使用時に両刃体（２，５）の先端部（４，７）の刃付部（１２，１６）間で切断される爪の先端部を操作部材（８）側から見易くすることができる。
【図面の簡単な説明】
【００１６】
【図１】不使用状態の爪切りを示す斜視図である。
【図２】使用状態の爪切りを示す側面図である。
【図３】（ａ）は図２の爪切りにおいて上下両刃体の刃付部の刃縁線を互いに噛み合わせた状態を示す部分拡大側面図であり、（ｂ）は同じく部分拡大正面図であり、（ｃ）は同じく部分拡大平面図であり、（ｄ）は同じく部分拡大底面図である。
【図４】（ａ）は従来の爪切りにおいて上下両刃体の刃付部の刃縁線を互いに噛み合わせた状態を示す一部切欠き側面図であり、（ｂ）は同じく部分拡大正面図であり、（ｃ）は同じく部分拡大平面図であり、（ｄ）は同じく部分拡大底面図である。
【発明を実施するための形態】
【００１７】
以下、本発明の一実施形態について図１〜３を参照して説明する。
図１に示すように、不使用状態にある爪切り１において、第一刃体としての上刃体２は刃体本体３とその刃体本体３に連続する先端部４とを備え、第二刃体としての下刃体５は刃体本体６とその刃体本体６に連続する先端部７とを備え、それらの刃体本体３，６の基端部が互いに取着されているとともに、それらの先端部４，７が互いに離間している。図２に示すように、使用状態にある爪切り１において、操作部材８は、上刃体２の刃体本体３及び下刃体５の刃体本体６に対しそれらの先端部４，７の付近で軸線を中心に回動可能に支持された支軸９と、上刃体２の刃体本体３上で支軸９に対し回動可能に支持された押圧操作てこ１０とを備えている。押圧操作てこ１０が図１に示すように倒伏された不使用状態から図２に示すように支軸９に対し回動されて起立された使用状態で、押圧操作てこ１０により上刃体２の刃体本体３を下刃体５の刃体本体６側へ押圧すると、上刃体２の先端部４と下刃体５の先端部７とは上刃体２及び下刃体５の弾性力に抗して互いに接近するとともに、それらの弾性力により互いに離間する。
【００１８】
図３に示すように、上刃体２において、刃体本体３には押圧操作てこ１０により押圧される押圧部１１が形成され、先端部４には刃付部１２が形成されているとともに、押圧部１１の終端部１１ａと刃付部１２とを互いに繋ぐ連結部１３が形成されている。連結部１３の外面と押圧部１１の終端部１１ａの外面と刃付部１２の外面とはそれぞれ境界線１４を介して互いに連続する平坦面になっている。押圧部１１の終端部１１ａの外面を含む面と連結部１３の外面及び刃付部１２の外面との間には刃付部１２に対する視認空間Ｓが生じる。なお、それらの平坦面としては、側面視及び正面視で共に直線状に見えるように形成したり、側面視と正面視とのうち少なくとも一方で曲線状に見えるように形成したりしてもよい。
【００１９】
また、下刃体５において、刃体本体６には支軸９に対する係止部１５が形成され、先端部７には刃付部１６が形成されているとともに、係止部１５の終端部１５ａと刃付部１６とを互いに繋ぐ連結部１７が形成されている。連結部１７の外面と係止部１５の終端部１５ａの外面と刃付部１６の外面とはそれぞれ境界線１８を介して互いに連続する平坦面になっている。係止部１５の終端部１５ａの外面を含む面と連結部１７の外面及び刃付部１６の外面との間には刃付部１６に対する視認空間Ｓが生じる。なお、それらの平坦面としては、側面視及び正面視で共に直線状に見えるように形成したり、側面視と正面視とのうち少なくとも一方で曲線状に見えるように形成したりしてもよい。
【００２０】
図３に示すように、上刃体２の先端部４において、押圧部１１の終端部１１ａから下刃体５の先端部７の刃付部１６側へ屈曲された連結部１３でその外面が押圧部１１の終端部１１ａの外面を含む面に対しなす屈曲角度をＡ、連結部１３から下刃体５の先端部７の刃付部１６側へ屈曲された刃付部１２でその外面が連結部１３の外面に対しなす屈曲角度をＢ、刃付部１２の外面が押圧部１１の終端部１１ａの外面を含む面に対しなす屈曲角度をＣとした場合、Ａ≦Ｂ＜Ｃに設定されている。
【００２１】
また、下刃体５の先端部７において、係止部１５の終端部１５ａから上刃体２の先端部４の刃付部１２側へ屈曲された連結部１７でその外面が係止部１５の終端部１５ａの外面を含む面に対しなす屈曲角度をＤ、連結部１７から上刃体２の先端部４の刃付部１２側へ屈曲された刃付部１６でその外面が連結部１７の外面に対しなす屈曲角度をＥ、刃付部１６の外面が係止部１５の終端部１５ａの外面を含む面に対しなす屈曲角度をＦとした場合、Ｄ≦Ｅ＜Ｆに設定されている。
【００２２】
上刃体２の先端部４の屈曲角度Ａ，Ｂ，Ｃと下刃体５の先端部７の屈曲角度Ｄ，Ｅ，Ｆとは同一に設定されている。屈曲角度Ａ，Ｄを１０度以上５０度以下の鋭角に設定し、好ましくは１２度以上４０度以下の鋭角に、さらに好ましくは１５度以上２５度以下の鋭角に設定することができる。屈曲角度Ｂ，Ｅを２０度以上８０度以下の鋭角に設定し、好ましくは３０度以上７０度以下の鋭角に、さらに好ましくは４５度以上６０度以下の鋭角に設定することができる。屈曲角度Ｃ，Ｆを４０度以上９０度未満の鋭角に設定し、好ましくは４５度以上８０度以下の鋭角に、さらに好ましくは６０度以上７５度以下の鋭角に設定することができる。
【００２３】
次に、爪切り１の使用例を述べる。
図２に示す使用状態で、使用者の爪ではなく使用者以外の爪、例えば赤ちゃんや幼児の爪に上下両刃体２，５の先端部４，７を向け、上刃体２の先端部４の刃付部１２を押圧操作てこ１０の上方や上刃体２の基端部側上方から刃付部１２に対する視認空間Ｓを通して見ながら、押圧操作てこ１０を操作することができる。また、下刃体５の先端部７の刃付部１６を支軸９の下方や下刃体５の基端部側下方から刃付部１６に対する視認空間Ｓを通して見ながら、押圧操作てこ１０を操作することができる。
【００２４】
本実施形態は下記の効果を有する。
上刃体２の先端部４において、刃体本体３の終端部１１ａと刃付部１２との間にはその終端部１１ａから屈曲された連結部１３を設けている。連結部１３の平坦外面が終端部１１ａの平坦外面を含む面に対しなす屈曲角度Ａを１０度以上５０度以下の鋭角に設定し、刃付部１２の平坦外面が連結部１３の平坦外面に対しなす屈曲角度Ｂを２０度以上８０度以下の鋭角に設定し、刃付部１２の平坦外面が終端部１１ａの平坦外面を含む面に対しなす屈曲角度Ｃを４０度以上９０度未満の鋭角に設定している。その場合、Ａ≦Ｂ＜Ｃの関係が成り立ち、上刃体２において刃体本体３の終端部１１ａの平坦外面を含む面と連結部１３の平坦外面及び刃付部１２の平坦外面との間には刃付部１２に対する視認空間Ｓを設けることができる。その視認空間Ｓにより、使用時に上下両刃体２，５の先端部４，７の刃付部１２，１６間で切断される爪の先端部を押圧操作てこ１０の上方や上刃体２の基端部側上方から見易くすることができる。従って、使用者以外の爪、例えば赤ちゃんや幼児の爪も切断し易い。また、使用者自身の爪を切断することもできる。
【００２５】
前記実施形態以外にも例えば下記のように構成してもよい。
・  前記実施形態において、上下両刃体２，５の先端部４，７の連結部１３，１７でその外面を平坦面でなく凹状面または凸状面に形成することができる。
【００２６】
・  前記実施形態において、上下両刃体２，５の先端部４，７の連結部１３，１７でその外面を平坦面や凹状面や凸状面を複数連続させて形成することができる。
・  前記実施形態において、上刃体２の先端部４の屈曲角度Ａ，Ｂ，Ｃと下刃体５の先端部７の屈曲角度Ｄ，Ｅ，Ｆとは同一に設定されているが、その屈曲角度Ａ，Ｂ，Ｃと屈曲角度Ｄ，Ｅ，Ｆとを異なるものに設定することができる。
【００２７】
・  前記実施形態においては、上刃体２の先端部４に連結部１３を形成するとともに、下刃体５の先端部７に連結部１７を形成しているが、下刃体５側の連結部１７を省略することができる。
【符号の説明】
【００２８】
１…爪切り、２…上刃体（第一刃体）、３…上刃体の刃体本体、４…上刃体の先端部、５…下刃体（第二刃体）、６…下刃体の刃体本体、７…下刃体の先端部、８…操作部材、１０…操作部材の押圧操作てこ、１１…上刃体の押圧部、１１ａ…押圧部の終端部、１２…上刃体の刃付部、１３…上刃体の連結部、１５…下刃体の係止部、１５ａ…係止部の終端部、１６…下刃体の刃付部、１７…下刃体の連結部、Ｓ…視認空間。
【図１】
2018099185.tif 000003
【図２】
2018099185.tif 000004
【図３】
2018099185.tif 000005
【図４】
2018099185.tif 000006